(57)【要約】【課題】  介護等の担当者による訪問介護記録書の記入作業を簡略化して書類作成の手間を省き、また、介護等の担当者が行った介護・介助サービスが一目で詳細に分かる訪問介護記録書を提供すること。【解決手段】  ２枚複写式にて作成され、介護・介助サービスの記録書と申請書を兼ねた訪問介護記録書１において、介護・介助サービスの内容を記入する内容記入欄１３を有し、該内容記入欄１３は生活援助１３１と身体介護１３２とで分けられ、これらのサービス項目１３１ａ，１３２ａが展開されると共に、さらにこれらサービス項目１３１ａ，１３２ａには詳細なサービス内容１３１ｂ，１３２ｂが列挙されて構成され、前記内容記入欄１３の生活援助１３１及び身体介護１３２に付された記号と、これらのサービス項目１３１ａ，１３２ａに付された記号とが異なる種類のものであることを特徴とする。【選択図】  図１
0003115801.tif 000002
【実用新案登録請求の範囲】
【請求項１】
複写式にて作成され、介護・介助サービスの記録書と申請書を兼ねた訪問介護記録書において、
介護・介助サービスの内容を記入する内容記入欄を有し、該内容記入欄は生活援助と身体介護とで分けられ、これらのサービス項目が展開されると共に、さらにこれらサービス項目には詳細なサービス内容が列挙されて構成され、
前記内容記入欄の生活援助及び身体介護に付された記号と、これらのサービス項目に付された記号とが異なる種類のものであることを特徴とする訪問介護記録書。
【請求項２】
前記内容記入欄に隣接して特記事項記入欄が設けられ、該特記事項記入欄へは生活援助又は身体介護の記号、これらのサービス項目の記号、さらに介護等の担当者が行った具体的なサービス内容を記載することにより、介護・介助サービスの内容を特定することを特徴とする請求項１記載の訪問介護記録書。
【請求項３】
前記内容記入欄の生活援助及び身体介護に付された記号はアルファベットであり、これらのサービス項目に付された記号は数字であることを特徴とする請求項１又は請求項２記載の訪問介護記録書。
【考案の詳細な説明】
【技術分野】
【０００１】
本考案は訪問介護・介助サービスにおける記録書と、支援事業者に提出し、更には、支援事業者が介護・介助サービスの対価を役所や関係機関へ申請する申請書を兼ねた訪問介護記録書の改良に関するものである。
【背景技術】
【０００２】
従来から訪問介護・介助サービスにおいては、介護等の担当者が行った介護・介助サービスの内容や作業時間等を記録書に記録し、これを被介護者・被介助者本人又は家族の手元に保存している。
また、介護・介助サービスの支援事業者が、介護・介助サービスの対価を役所や関係機関に請求する場合には、申請書を提出している。この申請書には所定の様式がなく、支援事業者が用意した用紙に、介護等の担当者が介護・介助サービス内容や作業時間等を記入して申請を行っている。
したがって、介護等の担当者は、記録書と申請書を別個に作成する必要があり、書類作成に手間がかかっていた。
【０００３】
そこで、２枚複写式とし、１枚を被介護者・被介助者本人又は家族の手元に保存する記録書、もう１枚を支援事業者に提出し、更には、支援事業者が対価を役所や公共団体等の関係機関へ申請する際の申請書とを兼ねた訪問介護記録書が提案されている。
この訪問介護記録書によれば、別個で行っていた書類作成作業が１回で済み、介護等の担当者の書類作成の手間を省くことができる。
また、申請書には、被介護者・被介助者本人又は家族の確認印が捺印されるため、介護・介助サービスが申請書の通り行われたことを役所や関係機関に対して証明することもできる。
【０００４】
さらに、この訪問介護記録書は、記録書と申請書を兼ねた以外にも、介護・介助サービスを身体援助と生活援助の２項目に分け、これらを更に細分化して列挙し、行った介護・介助サービスをチェック形式で記入できるようにして、書類作成作業を簡略化している。
【特許文献１】登録実用新案第３１０３９８８号公報
【考案の開示】
【考案が解決しようとする課題】
【０００５】
平成１２年４月から介護保険制度が導入され、この制度では、支援事業者（介護等の担当者）が行う介護・援助等のサービス範囲が大枠として定められている。
しかし、被介護者・被介助者本人の生活スタイルや価値観・人生観等の様々な相違から、被介護者・被介助者により望む介護・介助サービスも相違しているのが実情である。
また、介護保健制度には、被介護者・被介助者本人の意思を尊重するという前提があり、訪問介護記録書に項目のない介護・介助サービスの要望があった場合には、自立意欲の向上等のために極力対応するように厚生労働省から指導されている。
このため、介護等の担当者が被介護者・被介助者の要望に合わせて訪問介護記録書に項目のない介護・介助サービスを行う場合がある。この場合であっても、介護等の担当者は、行った介護・介助サービスの具体的な内容を訪問介護記録書に記入する必要がある。
【０００６】
上記考案の訪問介護記録書では、援助内容欄に列記された項目以外の介護・介助サービスについては、介護・介助担当者メッセージ欄に記録することになる。しかし、例えば生活援助のために本人を近くの書店に案内した場合には、「生活援助として本人を近くの書店に案内した」等の文章の記入が必要となり、介護等の担当者の書類作成に手間がかかっていた。
【０００７】
本考案は、上記状況に鑑みてなされたものであり、介護等の担当者による訪問介護記録書の記入作業を簡略化して書類作成の手間を省き、また、介護等の担当者が行った介護・介助サービスが一目で分かる訪問介護記録書を提供することを目的とする。
【課題を解決するための手段】
【０００８】
上記課題を解決するためにこの考案は、２枚複写式にて作成され、介護・介助サービスの記録書と申請書を兼ねた訪問介護記録書において、介護・介助サービスの内容を記入する内容記入欄を有し、該内容記入欄は生活援助と身体介護とで分けられ、これらのサービス項目が展開されると共に、さらにこれらサービス項目には詳細なサービス内容が列挙されて構成され、前記内容記入欄の生活援助及び身体介護に付された記号と、これらのサービス項目に付された記号とが異なる種類のものであることを特徴とする。
【０００９】
また、前記内容記入欄に隣接して特記事項記入欄が設けられ、該特記事項記入欄へは生活援助又は身体介護の記号、これらのサービス項目の記号、さらに介護等の担当者が行った具体的なサービス内容を記載することにより、介護・介助サービスの内容を特定することが好ましい。
さらに、前記内容記入欄の生活援助及び身体介護に付された記号はアルファベットであり、これらのサービス項目に付された記号は数字であることが好ましい。
【考案の効果】
【００１０】
上記の如く構成する本考案によれば、訪問介護記録書に行った介護・介助サービスの項目がない場合に、介護等の担当者による訪問介護記録書への記入作業を簡略化して書類作成の手間を省き、介護等サービスの提供に打ち込む環境づくりを支援できる。
また、申請書を受け取った役所等の関係者は介護等の担当者がどのような介護等を行ったのかが一目で分かり、介護・介助サービスのチェックを容易に行うことができる。
【考案を実施するための最良の形態】
【００１１】
次に、この考案の実施形態を図面を参照しながら説明する。
ここで、図１は本考案に係る訪問介護記録書の説明図である。
符号１は、本考案に係る訪問介護記録書を示している。この訪問介護記録書１は、Ａ４版からなる２枚複写式のものであって、１枚目の裏面に無色塗料等を塗り、２枚面の表面に活性白土等を塗ったいわゆるノンカーボン紙等の複写可能なものを用いている。そして、この２枚を１組として複数組が綴じられ、ミシン目（図示せず）にて１組づつ切り離しが可能になっている。
また、訪問介護記録書１の１、２枚目には、共に以下に示す内容が記載されている。
【００１２】
訪問介護記録書１には、その上欄の左側に被介護者・被介助者である利用者名記入欄１１、介護等の担当者名記入欄１２が設けられている。また、これらの下欄には、介護・介助等の具体的な内容を記入する内容記入欄１３が３つ設けられている。
この内容記入欄１３は、生活援助１３１と身体介護１３２とが上下で分けられ、これらの下に生活援助１３１のサービス項目１３１ａ（掃除、調理、洗濯、ベッドメイク、整理整頓、生活補佐、その他）、身体介護１３２のサービス項目１３２ａ（起床・就寝介助、排泄介助、食事介助、清拭、入浴介助、洗面介助、身体整容、更衣介助、移動・移乗介助、見守り的援助、通院・外出介助、その他）が展開されている。
さらに、これらサービス項目１３１ａ，１３２ａの右側には、詳細なサービス内容１３１ｂ，１３２ｂが列挙されている。例えば、生活援助１３１のサービス項目１３１ａの「掃除」については、サービス内容１３１ｂが「室内・屋内・トイレ・ゴミ捨て」となっており、より詳細に示されている。
なお、サービス内容１３１ｂ，１３２ｂについては、チェック形式による記入のみで済むように、可能な限り詳細に記載してあることが望ましい。
【００１３】
また、生活援助１３１の前にはアルファベットのＡが付され、かつ、身体介護１３２の前にはアルファベットのＢが付されている。
さらに、生活援助１３１のサービス項目１３１ａ（掃除、調理、洗濯、ベッドメイク、整理整頓、生活補佐、その他）の前には、１〜７の通し番号が順に付され、かつ、身体介護１３２のサービス項目１３２ａ（起床・就寝介助、排泄介助、食事介助、清拭、入浴介助、洗面介助、身体整容、更衣介助、移動・移乗介助、見守り的援助、通院・外出介助、その他）の前には、１〜１２の通し番号が順に付されている。
即ち、本考案は、生活援助１３１及び身体介護１３２にアルファベットを付し、生活援助１３１のサービス項目１３１ａ、身体介護１３２のサービス項目１３２ａにアルファベットと異なる記号、即ち、数字を付している。このため、同じ種類の記号を付した場合に比べ、記入ミスや記入内容の判断ミス等が生じにくい。また、後述するように、特記事項記入欄１８への記入作業を簡略化でき、書類作成の手間を省くことができる。また、介護等の担当者が行った介護・介助等のサービス内容が一目で分かるという利点がある。
【００１４】
また、これらサービス内容１３１ｂ，１３２ｂの右側には、上から訪問年月日記入欄１４、滞在時間記入欄１５、介護等の担当者と被介護者・被介助者又はその家族の印鑑を捺印する捺印欄１６が設けられると共に、その日の被介護者・被介助者の体調を記入する体調チェック欄１７と特記事項記入欄１８が設けられている。
この特記事項記入欄１８は、介護等の担当者が被介護者・被介助者の要望に合わせて行う介護・介助サービスであって、サービス内容１３１ｂ、１３２ｂに列挙されていないものを記入する場合、また、介護・介助サービスの難易度を示すために介護認定区分を記入する場合に用いられることになる。
【００１５】
このように構成された訪問介護記録書によれば、通常は、介護等の担当者が行った介護・介助サービスをサービス内容１３１ｂ、１３２ｂに列挙された事項から選び、これにレ点や○印を用いてチェックする。これにより、介護等の担当者の訪問介護記録書への記入作業を簡略化して、書類作成の手間を省くことができる。また、介護等の担当者が行った介護・介助サービスの内容が一目で分かる。
【００１６】
また、介護等の担当者が被介護者・被介助者の要望に合わせて行ったサービスであって、サービス内容１３１ｂ、１３２ｂに列挙されていないものについては、特記事項記入欄１８に記入する。例えば、生活援助のその他の項目として手紙の口述筆記を依頼された場合には、「Ａ−７−手紙の代筆」と記入することにより、「Ａ」が生活援助１３１を、「７」がサービス項目１３１ａの「その他」を示すことから、「生活援助−その他」の部分の記入作業を簡略化することができる。
【００１７】
なお、上述の実施形態においては、生活援助１３１のサービス項目１３１ａと身体介護１３２のサービス項目１３２ａに対し夫々別個に、１から始まる通し番号を付している。しかし、本考案はこれに何らこれに限定されることなく、生活援助１３１のサービス項目１３１ａから身体介護１３２のサービス項目１３２ａに対して、１から始まる通し番号を付すこともできる。
このようにした場合、例えば身体介護１３２のサービス項目１３２ｂの「起床・就寝介助」には、数字の「８」が付されることになる。このため、特記事項記入欄１８に、「８−起床」と記入しておけば、被介護者・被介助者に対して、身体介護１３２のサービス項目１３２ａ「起床・就寝介助」のサービス内容１３２ｂ「起床」を行ったことが分かる。これにより、身体介護１３２のアルファベットの記入を省略することが可能となる。
【００１８】
また、生活援助１３１と身体介護１３２にアルファベットを付し、身体介護の項目１３１ａ及び生活援助の項目１３２ａに数字を付したものを用いて説明したが、本考案はこれに何ら限定されず、生活援助１３１と身体介護１３２と身体介護の項目１３１ａ及び生活援助の項目１３２ａとで異なる種類の記号の組合せ（例えば、数字とイロハ、アルファベットとイロハ等）を用いることができる。
【産業上の利用可能性】
【００１９】
本考案に係る訪問介護記録書は、訪問介護に限らず、病院や老人ホーム等における介護・介助サービスの記録書等として用いることができる。
【図面の簡単な説明】
【００２０】
【図１】本考案に係る訪問介護記録書の説明図である。
【符号の説明】
【００２１】
１        訪問介護記録書
１１      利用者名記入欄
１２      担当者名記入欄
１３      内容記入欄
１３１    生活援助
１３１ａ  サービス項目
１３１ｂ  サービス内容
１３２    身体介護
１３２ａ  サービス項目
１３２ｂ  サービス内容
１４      訪問年月日記入欄
１５      滞在時間記入欄
１６      捺印欄
１７      体調チェック欄
１８      特記事項記入欄
【図１】
0003115801.tif 000003